(57)【要約】【課題】  新たなトラップ回路の追加に伴う信号の損失を低減し、然も、設計及び開発時間の短縮を図ることが出来るアンテナ共用器を提供する。【解決手段】  本発明に係るアンテナ共用器１は、ＧＳＭ信号の送受信を行なうための第１送受信回路３と、ＤＣＳ及びＷ−ＣＤＭＡ信号の送受信を行なうための第２送受信回路４とをダイプレクサ２を介して並列に接続して構成される。第１送受信回路３の送信ライン30bには、直列に介在する第２ダイオードスイッチ38と分岐端子23との間に、Ｗ−ＣＤＭＡの周波数帯域に共振周波数を有する直列共振回路を構成すべきインダクタ及びコンデンサからなる第３トラップ回路5aが接続されており、該インダクタが、第２ダイオードスイッチ38と分岐端子23との間に直列に介在し、該インダクタと第２ダイオードスイッチ38との間の接続線路にコンデンサの一端が接続されると共に、他端が接地されている。【選択図】      図１
2007036622.tif 000002
【特許請求の範囲】
【請求項１】
複数の異なる周波数帯域の電波を送受信するためのアンテナ共用器であって、第１の周波数帯域の信号の通過を阻止する第１トラップ回路が、第１端子(24)とアンテナ接続端子(21)との間に配備されると共に、前記第１の周波数帯域とは異なる第２の周波数帯域の信号の通過を阻止する第２トラップ回路が、第２端子(23)と前記アンテナ接続端子(21)との間に配備され、前記第１端子(24)には、前記第２の周波数帯域及びこれに隣接する第３の周波数帯域の信号の送受信を行なうための第２送受信回路(４)が接続されると共に、第２端子(23)には、前記第１の周波数帯域の信号の送受信を行なうための第１送受信回路(３)が接続されているアンテナ共用器において、
前記第１送受信回路(３)は、前記第１の周波数帯域の受信信号が通過すべき受信ライン(30a)と、前記第１の周波数帯域の送信信号が通過すべき送信ライン(30b)とを有し、前記受信ライン(30a)には、前記第１の周波数帯域の送信信号の波長の４分の１の長さに相当するマイクロストリップライン(36)が直列に介在し、該マイクロストリップライン(36)から受信ライン(30a)の終端の受信側信号端子(33)へ至る接続線路に第１ダイオードスイッチ(37)の一端が接続されると共に、他端が接地され、前記送信ライン(30b)には、第２ダイオードスイッチ(38)が直列に介在し、該第２ダイオードスイッチ(38)と前記第２端子(23)との間には、前記第３の周波数帯域の通過を阻止する第３トラップ回路(5a)が介在し、該第３トラップ回路(5a)はインダクタとコンデンサから構成され、該インダクタとコンデンサの内、何れか一方の受動素子が、前記第２ダイオードスイッチ(38)と前記第２端子(23)との間に介在し、該一方の受動素子と第２ダイオードスイッチ(38)との間の接続線路に他方の受動素子の一端が接続されると共に、他端が接地されていることを特徴とするアンテナ共用器。
【請求項２】
複数の異なる周波数帯域の電波を送受信するためのアンテナ共用器であって、第１の周波数帯域の信号の通過を阻止する第１トラップ回路が、第１端子(24)とアンテナ接続端子(21)との間に配備されると共に、前記第１の周波数帯域とは異なる第２の周波数帯域の信号の通過を阻止する第２トラップ回路が、第２端子(23)と前記アンテナ接続端子(21)との間に配備され、前記第１端子(24)には、前記第２の周波数帯域及びこれに隣接する第３の周波数帯域の信号の送受信を行なうための第２送受信回路(４)が接続されると共に、第２端子(23)には、前記第１の周波数帯域の信号の送受信を行なうための第１送受信回路(３)が接続されているアンテナ共用器において、
前記第１送受信回路(３)は、前記第１の周波数帯域の受信信号が通過すべき受信ライン(30a)と、前記第１の周波数帯域の送信信号が通過すべき送信ライン(30b)とを有し、前記送信ライン(30b)には、第２ダイオードスイッチ(38)が直列に介在する一方、前記受信ライン(30a)には、前記第１の周波数帯域の送信信号の波長の４分の１の長さに相当するマイクロストリップライン(36)が直列に介在すると共に、該マイクロストリップライン(36)と受信ライン(30a)の終端の受信側信号端子(33)との間には、前記第３の周波数帯域の通過を阻止する第３トラップ回路(5b)が介在し、該第３トラップ回路(5b)はインダクタとコンデンサを互いに並列接続して構成され、該第３トラップ回路(5b)とマイクロストリップライン(36)の間の接続線路に第１ダイオードスイッチ(37)の一端が接続される一方、他端が接地されていることを特徴とするアンテナ共用器。
【請求項３】
複数の異なる周波数帯域の電波を送受信するためのアンテナ共用器であって、第１の周波数帯域の信号の通過を阻止する第１トラップ回路が、第１端子(24)とアンテナ接続端子(21)との間に配備されると共に、前記第１の周波数帯域とは異なる第２の周波数帯域の信号の通過を阻止する第２トラップ回路が、第２端子(23)と前記アンテナ接続端子(21)との間に配備され、前記第１端子(24)には、前記第２の周波数帯域及びこれに隣接する第３の周波数帯域の信号の送受信を行なうための第２送受信回路(４)が接続されると共に、第２端子(23)には、前記第１の周波数帯域の信号の送受信を行なうための第１送受信回路(３)が接続されているアンテナ共用器において、
前記第１送受信回路(３)は、前記第１の周波数帯域の受信信号が通過すべき受信ライン(30a)と、前記第１の周波数帯域の送信信号が通過すべき送信ライン(30b)とを有し、前記送信ライン(30b)には、第２ダイオードスイッチ(38)が直列に介在する一方、前記受信ライン(30a)には、前記第１の周波数帯域の送信信号の波長の４分の１の長さに相当するマイクロストリップライン(36)が直列に介在すると共に、該マイクロストリップライン(36)から受信ライン(30a)の終端の受信側信号端子(33)へ至る接続線路には、前記第３の周波数帯域の通過を阻止する第３トラップ回路(5c)が接続され、該第３トラップ回路(5c)はインダクタとコンデンサを互いに直列に接続して構成され、該第３トラップ回路(5c)の一端が前記マイクロストリップライン(36)から受信ライン(30a)の終端の受信側信号端子(33)へ至る接続線路に接続される一方、他端が接地されており、該第３トラップ回路(5c)とマイクロストリップライン(36)の間の接続線路に第１ダイオードスイッチ(37)の一端が接続される一方、他端が接地されていることを特徴とするアンテナ共用器。
【請求項４】
複数の異なる周波数帯域の電波を送受信するためのアンテナ共用器であって、第１の周波数帯域の信号の通過を阻止する第１トラップ回路が、第１端子(24)とアンテナ接続端子(21)との間に配備されると共に、前記第１の周波数帯域とは異なる第２の周波数帯域の信号の通過を阻止する第２トラップ回路が、第２端子(23)と前記アンテナ接続端子(21)との間に配備され、前記第１端子(24)には、前記第２の周波数帯域及びこれに隣接する第３の周波数帯域の信号の送受信を行なうための第２送受信回路(４)が接続されると共に、第２端子(23)には、前記第１の周波数帯域の信号の送受信を行なうための第１送受信回路(３)が接続されているアンテナ共用器において、
前記第１送受信回路(３)は、前記第１の周波数帯域の受信信号が通過すべき受信ライン(30a)と、前記第１の周波数帯域の送信信号が通過すべき送信ライン(30b)とを有し、前記受信ライン(30a)には、前記第１の周波数帯域の送信信号の波長の４分の１の長さに相当するマイクロストリップライン(36)が直列に介在し、該マイクロストリップライン(36)から受信ライン(30a)の終端の受信側信号端子(33)へ至る接続線路に第１ダイオードスイッチ(37)の一端が接続される一方、他端が接地され、前記送信ライン(30b)には、第２ダイオードスイッチ(38)が直列に介在し、該第２ダイオードスイッチ(38)と前記第２端子(23)との間には、前記第３の周波数帯域の信号の波長の４分の１の長さに相当するマイクロストリップライン(51)が介在し、該マイクロストリップライン(51)により、前記第３の周波数帯域の通過を阻止する第３トラップ回路(5d)が構成されていることを特徴とするアンテナ共用器。
【請求項５】
積層基板を用いてモジュール化され、前記第３トラップ回路は、前記第１ダイオードスイッチ(37)及び第２ダイオードスイッチ(38)と共に、積層基板の表面に設けられている請求項１乃至請求項４の何れかに記載のアンテナ共用器。
【発明の詳細な説明】
【技術分野】
【０００１】
本発明は、携帯電話機等に装備されるアンテナ共用器に関するものである。
【背景技術】
【０００２】
従来、欧州で使用される１８００ＭＨｚ帯を利用したＤＣＳ(Digital  Cellular  System)と、欧州などで使用される９００ＭＨｚ帯を利用したＧＳＭ(Global  System  For  Mobile  Communications)の、デュアルバンドの信号の送受信が可能なアンテナ共用器が知られている(特許文献１参照)。
図１７は、従来のデュアルバンドタイプのアンテナ共用器(６)の回路構成を示しており、該アンテナ共用器(６)は、ダイプレクサ(２)を介して、低周波帯域のＧＳＭ信号の送受信を行なうための第１送受信回路(７)と、高周波帯域のＤＣＳ信号の送受信を行なうための第２送受信回路(４)とを並列に接続して構成される。
第１送受信回路(７)は、ＧＳＭの送受信を切り換えるための２つのダイオードスイッチ(77)(78)を有するスイッチング回路(71)と、ＧＳＭの送信回路からの不要な高調波を遮断するためのローパスフィルタ回路(72)とからなり、ＧＳＭの受信回路に受信信号を出力するための受信側信号端子(73)と、ＧＳＭの送信回路からの送信信号が入力されるべき送信側信号端子(74)と、前記２つのダイオードスイッチ(77)(78)のオン／オフを制御するための信号が入力されるべき制御端子(75)とを有している。
【０００３】
第２送受信回路(４)は、ＤＣＳの送受信を切り換えるための２つのダイオードスイッチ(47)(48)を有するスイッチング回路(41)と、ＤＣＳの送信回路からの不要な高長波を遮断するためのローパスフィルタ回路(42)とからなり、ＤＣＳの受信回路に受信信号を出力するための受信側信号端子(43)と、ＤＣＳの送信回路からの送信信号が入力されるべき送信側信号端子(44)と、前記２つのダイオードスイッチ(47)(48)のオン／オフを制御するための信号が入力されるべき制御端子(45)とを有している。
【０００４】
ダイプレクサ(２)は、インダクタＬ２とコンデンサＣ３とからなる第１トラップ回路と、インダクタＬ１とコンデンサＣ２とからなる第２トラップ回路とを有し、第１トラップ回路が第１送受信回路(７)側に配備される一方、第２トラップ回路は第２送受信回路(４)側に配備されている。第１トラップ回路は、図１９に示すＤＣＳの送受信帯域内の周波数ｆ２に減衰極を有する一方、第２トラップ回路は、図１９に示すＧＳＭの送受信帯域内の周波数ｆ１に減衰極を有している。
第１トラップ回路と第１送受信回路(７)との間には、ダイオードスイッチ(77)(78)のオン／オフを制御する直流電圧を遮断するための結合コンデンサＣ６が介在し、第２トラップ回路と第２送受信回路(４)との間には、ダイオードスイッチ(47)(48)のオン／オフを制御する直流電圧を遮断するための結合コンデンサＣ５が介在している。
【０００５】
アンテナが受信した信号は、ダイプレクサ(２)のアンテナ接続端子(21)に入力される。アンテナ接続端子(21)にＤＣＳの受信信号が入力された場合、第１トラップ回路によってＤＣＳの受信信号の第１送受信回路(７)への通過が阻止され、ＤＣＳの受信信号は、第２送受信回路(４)側に流れることになる。
これに対し、アンテナ接続端子(21)にＧＳＭの受信信号が入力された場合、第２トラップ回路によってＧＳＭの受信信号の第２送受信回路(４)への通過が阻止され、ＧＳＭの受信信号は、第１送受信回路(７)側に流れることになる。
【０００６】
一方、送信側信号端子(74)にＧＳＭの送信信号が入力された場合、該送信信号は第１送受信回路(７)を経てダイプレクサ(２)に入力される。ＧＳＭの送信信号は、第２トラップ回路によって第２送受信回路(４)側への通過が阻止され、アンテナ接続端子(21)を経てアンテナから出力される。
又、送信側信号端子(44)にＤＣＳの送信信号が入力された場合、該送信信号は第２送受信回路(４)を経てダイプレクサ(２)に入力される。ＤＣＳの送信信号は、第１トラップ回路によって第１送受信回路(７)側への通過が阻止され、アンテナ接続端子(21)を経てアンテナから出力される。
上述の如く、ダイプレクサ(２)によって、ＧＳＭ及びＤＣＳの送受信信号の分離が可能となっている。
【０００７】
図１８は、アンテナ共用器(６)の第１送受信回路(７)の構成を前記ローパスフィルタ回路(72)を省略して示すものである。
送信側信号端子(74)からダイプレクサ(２)の低周波回路側の端子Ｆに至る送信ライン(70b)には、第２ダイオードスイッチ(78)が直列に介在している。
一方、前記端子Ｆから受信側信号端子(73)に至る受信ライン(70a)には、ＧＳＭの送信信号の波長の４分の１の長さに相当するマイクロストリップライン(76)が介在し、該マイクロストリップライン(76)と受信側信号端子(73)の間の接続線路に第１ダイオードスイッチ(77)の一端が接続され、他端が接地されている。
【０００８】
ＧＳＭの受信時、或いはＤＣＳの送受信時には、両ダイオードスイッチ(77)(78)はオフとされる。このとき、送信ライン(70b)はオープン状態であるため、ＧＳＭの受信信号は、受信ライン(70a)を流れることになる。第１ダイオードスイッチ(77)がオフのとき、マイクロストリップライン(76)は単なる接続線路として機能するので、ＧＳＭの受信信号は、マイクロストリップライン(76)を通過して受信側信号端子(73)から出力されることになる。
【０００９】
一方、ＧＳＭの送信時には、両ダイオードスイッチ(77)(78)はオンとされる。ダイオードスイッチ(77)がオンのとき、マイクロストリップライン(76)の一端が接地され、これにより、マイクロストリップライン(76)はＧＳＭの送信信号の受信ライン(70a)側への通過を阻止する機能を発揮する。この結果、送信側信号端子(74)に入力されたＧＳＭの送信信号は端子Ｆを経てダイプレクサ(２)に入力され、該ダイプレクサ(２)を介してアンテナ接続端子(21)から出力されることになる。
尚、第２送受信回路(４)は、図１７に示す如く、前記マイクロストリップライン(76)の代わりにＤＣＳの送信信号の波長の４分の１の長さに相当するマイクロストリップライン(46)を用いること以外は、前記第１送受信回路(７)と同様の構成を有しているので、説明は省略する。
【００１０】
図１９は、第１送受信回路(７)及び第２送受信回路(４)の信号通過特性を示している。図１９中、第２送受信回路(４)側の信号通過特性を実線で示し、第１送受信回路(７)側の信号通過特性を破線で示す。図示の如く、ＧＳＭの送受信を行なう第１送受信回路(７)側では、ＧＳＭの送受信帯域において信号の損失が殆どない一方、ＤＣＳの送受信帯域においては、信号が充分に減衰されていることが分かる。これに対し、ＤＣＳの送受信を行なう第２送受信回路(４)側では、ＤＣＳの送受信帯域において信号の損失が殆どない一方、ＧＳＭの送受信帯域においては、信号が充分に減衰されていることが分かる。これによって、ＤＣＳ及びＧＳＭのデュアルバンドの信号の送受信が可能となっている。
【００１１】
ところで、近年、携帯電話機においては、１９００ＭＨｚ帯を利用したＰＣＳ(Personal  Communication  Services)や、１９００〜２１７０ＭＨｚ帯を利用したＷ−ＣＤＭＡ(Wideband  Code  Devision  Multiple  Service)等の新しい通信規格が提案されており、従来のＤＣＳ及びＧＳＭにこれらの新しい通信規格を加えたトリプルバンドタイプ、或いはクアッドバンドタイプのアンテナ共用器の開発が必要となってきている。
【００１２】
図２０は、ＤＣＳ、ＧＳＭ及びＷ−ＣＤＭＡに対応したトリプルバンドタイプのアンテナ共用器(6a)の回路構成を示している(特許文献２参照)。該アンテナ共用器(6a)は、ダイプレクサの構成が異なること以外は、図１８に示すデュアルバンドタイプのアンテナ共用器(６)と同様の構成を有している。
該アンテナ共用器(6a)のダイプレクサ(2a)は、図１８に示すアンテナ共用器(６)のダイプレクサ(２)と同様に、図２１に示すＤＣＳの送受信帯域内の周波数ｆ２に減衰極を有する第１トラップ回路と、図２１に示すＧＳＭの送受信帯域内の周波数ｆ１に減衰極を有する第２トラップ回路とを具えている。
【００１３】
又、ダイプレクサ(2a)は、インダクタＬ５１とコンデンサＣ５１を直列に接続してなる第３トラップ回路(29)を具え、該第３トラップ回路(29)の一端が、第１送受信回路(７)側の結合コンデンサＣ６と第１トラップ回路との間の接続線路に接続されると共に、他端が接地されている。該第３トラップ回路(29)は、図２１に示すＷ−ＣＤＭＡの送受信帯域内の周波数ｆ３に共振周波数を有し、該第３トラップ回路(29)によって、Ｗ−ＣＤＭＡの送受信信号の第１送受信回路(７)側への通過が阻止される。
【００１４】
従って、ＧＳＭの受信時、或いはＤＣＳ及びＷ−ＣＤＭＡの送受信時には、第２トラップ回路によってＤＣＳの送受信帯域に周波数を有する信号の第１送受信回路(７)側への通過が阻止されると共に、第３トラップ回路(29)によってＷ−ＣＤＭＡの送受信帯域に周波数を有する信号の第１送受信回路(７)側への通過が阻止されることになる。
上記トリプルバンドタイプのアンテナ共用器(6a)によれば、図２１に示す如く、ＧＳＭの受信時には、ＤＣＳ及びＷ−ＣＤＭＡの送受信信号の周波数に相当する帯域の信号を広域に亘って充分に減衰させることが出来る一方、ＤＣＳ或いはＷ−ＣＤＭＡの受信時に、ＤＣＳ及びＷ−ＣＤＭＡの送受信信号が第１送受信回路(７)側に回り込むことがないので、ＤＣＳ及びＷ−ＣＤＭＡの送受信信号が減衰されることがなく、良好な送受信性能が得られる。
【特許文献１】特開２００２−２４６８０９号公報
【特許文献２】特開２００３−２０９４５４号号公報
【発明の開示】
【発明が解決しようとする課題】
【００１５】
ところで、一般に、上述のデュアルバンドタイプのアンテナ共用器(６)及びトリプルバンドタイプのアンテナ共用器(6a)は、図２２に示す如く、ＬＴＣＣ(Low Temperature Co-fired Ceramics)基板を用いてモジュール化されており、これらのアンテナ共用器を構成する１部品であるダイプレクサはインダクタ及びコンデンサから構成されるため、ＬＴＣＣ基板の内層に形成される場合が多い。このため、ダイプレクサに設計変更の必要が生じた場合には、ＬＴＣＣ基板自体の設計変更を伴うことになる。
従って、デュアルバンドタイプのアンテナ共用器(６)のダイプレクサ(２)内に第３トラップ回路(29)を追加することにより、トリプルバンド対応或いはクアッドバンド対応を図る上記従来のアンテナ共用器(6a)においては、ＬＴＣＣ基板自体の設計変更を伴うため、設計及び開発に長時間を要する問題があった。
又、第３トラップ回路(29)がダイプレクサ(2a)内に配備されているため、ＧＳＭの送受信時に、ＧＳＭの送受信信号が第３トラップ回路(29)を通過することになる。第３トラップ回路(29)は、Ｗ−ＣＤＭＡの送受信帯域外に周波数を有する信号の通過も僅かではあるが阻止してしまうため、ＧＳＭの送受信信号に損失が生じてしまう問題があった。
【００１６】
そこで、本発明の目的は、新たなトラップ回路の追加に伴う信号の損失を低減することが出来、然も、設計及び開発時間の短縮を図ることが出来るアンテナ共用器を提供することである。
【課題を解決するための手段】
【００１７】
本発明のアンテナ共用器は、複数の異なる周波数帯域の電波を送受信するためのものであって、第１の周波数帯域の信号の通過を阻止する第１トラップ回路が、第１端子(24)とアンテナ接続端子(21)との間に配備されると共に、前記第１の周波数帯域とは異なる第２の周波数帯域の信号の通過を阻止する第２トラップ回路が、第２端子(23)と前記アンテナ接続端子(21)との間に配備され、前記第１端子(24)には、前記第２の周波数帯域及びこれに隣接する第３の周波数帯域の信号の送受信を行なうための第２送受信回路(４)が接続されると共に、第２端子(23)には、前記第１の周波数帯域の信号の送受信を行なうための第１送受信回路(３)が接続されている。
【００１８】
前記第１送受信回路(３)は、前記第１の周波数帯域の受信信号が通過すべき受信ライン(30a)と、前記第１の周波数帯域の送信信号が通過すべき送信ライン(30b)とを有し、前記受信ライン(30a)には、前記第１の周波数帯域の送信信号の波長の４分の１の長さに相当するマイクロストリップライン(36)が直列に介在し、該マイクロストリップライン(36)から受信ライン(30a)の終端の受信側信号端子(33)へ至る接続線路に第１ダイオードスイッチ(37)の一端が接続されると共に、他端が接地されている。
送信ライン(30b)には、第２ダイオードスイッチ(38)が直列に介在し、該第２ダイオードスイッチ(38)と前記第２端子(23)との間には、前記第３の周波数帯域の通過を阻止する第３トラップ回路(5a)が介在し、該第３トラップ回路(5a)はインダクタとコンデンサから構成され、該インダクタとコンデンサの内、何れか一方の受動素子が、前記第２ダイオードスイッチ(38)と前記第２端子(23)との間に介在し、該一方の受動素子と第２ダイオードスイッチ(38)との間の接続線路に他方の受動素子の一端が接続されると共に、他端が接地されている。
【００１９】
具体的には、本発明のアンテナ共用器は、積層基板を用いてモジュール化され、前記第３トラップ回路は、前記第１ダイオードスイッチ(37)及び第２ダイオードスイッチ(38)と共に、積層基板の表面に設けられている。
【００２０】
上記本発明のアンテナ共用器において、第１の周波数帯域の信号の受信時、或いは第２及び第３の周波数帯域の信号の送受信時には、前記第１及び第２ダイオードスイッチ(37)(38)はオフとされる。第２ダイオードスイッチ(38)がオフとされ、送信ライン(30b)がオープン状態となると、第３トラップ回路(5a)を構成するインダクタとコンデンサとが直列に接続されることとなり、該インダクタ及びコンデンサは、一端が受信ライン(30a)に接続され、他端が接地された直列共振回路を構成する。該直列共振回路は、第３の周波数帯域の信号の受信ライン(30a)への通過を阻止する機能を発揮し、この結果、第１の周波数帯域の信号の受信時には、第２及び第３の周波数帯域の信号を充分に減衰させることが出来、第２及び第３の周波数帯域の信号の送受信時には、第２及び第３の周波数帯域の信号の第１送受信回路(３)側への回り込みが阻止される。
【００２１】
一方、第１の周波数帯域の信号の送信時には、前記第１及び第２ダイオードスイッチ(37)(38)はオンとされる。第２ダイオードスイッチ(38)がオンとされることによって直列共振回路が消滅する。従って、第１の周波数帯域の信号の送信時に、送信信号に生じる損失を低減することが出来る。
【００２２】
ところで、アンテナ共用器がモジュール化された低温焼成セラミックス積層基板において、ダイオードスイッチは、一般に低温焼成セラミックス積層基板の表面に実装される。前記第３トラップ回路(5a)は、第２ダイオードスイッチ(38)の一端に接続されるため、例えば、従来のデュアルタイプのアンテナ共用器がモジュール化された低温焼成セラミックス積層基板の表面に、チップ部品で構成した前記第３トラップ回路(5a)を追加するだけで、トリプルバンド対応を図ることが可能となる。これにより、低温焼成セラミックス積層基板の表層を構成するセラミック層の設計変更のみで、トリプルバンド対応を図ることが出来、この結果、アンテナ共用器の設計及び開発にかかる時間を従来に比べて短縮することが出来る。
【００２３】
他の具体的構成において、前記送信ライン(30b)には、第２ダイオードスイッチ(38)が直列に介在する一方、前記受信ライン(30a)には、前記第１の周波数帯域の送信信号の波長の４分の１の長さに相当するマイクロストリップライン(36)が直列に介在し、該マイクロストリップライン(36)と受信ライン(30a)の終端の受信側信号端子(33)の間には、前記第３の周波数帯域の通過を阻止する第３トラップ回路(5b)が介在し、該第３トラップ回路(5b)はインダクタとコンデンサとを互いに並列に接続して構成され、該第３トラップ回路(5b)とマイクロストリップライン(36)の間の接続線路に第１ダイオードスイッチ(37)の一端が接続される一方、他端が接地されている。
【００２４】
該具体的構成において、第１の周波数帯域の信号の受信時、或いは第２及び第３の周波数帯域の信号の送受信時には、前記第１及び第２ダイオードスイッチ(37)(38)はオフとされる。第２ダイオードスイッチ(38)がオフとされることによって、送信ライン(30b)はオープン状態となり、信号は受信ライン(30a)を通過することになる。
第３トラップ回路(5b)は、インダクタとコンデンサからなる並列共振回路によって構成され、該第３トラップ回路(5b)が受信ライン(30a)に対して直列に介在しているので、前記第３の周波数帯域の信号の通過を阻止する機能を発揮する。これにより、第１の周波数帯域の信号の受信時には、第２及び第３の周波数帯域の信号を充分に減衰させることが出来、第２及び第３の周波数帯域の信号の送受信時には、第２及び第３の周波数帯域の信号の第１送受信回路(３)側への回り込みが阻止される。
【００２５】
一方、第１の周波数帯域の信号の送信時には、前記第１及び第２ダイオードスイッチ(37)(38)はオンとされる。第１ダイオードスイッチ(37)がオンとされることによって、受信ライン(30a)に直列に介在するマイクロストリップライン(36)の一端が接地されることになる。これにより、マイクロストリップライン(36)は、第１の周波数帯域の送信信号の通過を阻止する機能を発揮し、この結果、送信ライン(30b)から受信ライン(30a)への送信信号の回り込みが阻止される。従って、第２の周波数帯域の信号の送信時に、送信信号が第３トラップ回路(5b)を通過することは殆どなく、これにより、送信信号に生じる損失を低減することが出来る。
【００２６】
又、前記第３トラップ回路(5b)は、第１ダイオードスイッチ(37)の一端に接続されるため、例えば、従来のデュアルタイプのアンテナ共用器がモジュール化された低温焼成セラミックス積層基板の表面に、チップ部品で構成した前記第３トラップ回路(5b)を追加するだけで、トリプルバンド対応を図ることが可能となる。
【００２７】
又、他の具体的構成において、前記送信ライン(30b)には、第２ダイオードスイッチ(38)が直列に介在する一方、前記受信ライン(30a)には、前記第１の周波数帯域の送信信号の波長の４分の１の長さに相当するマイクロストリップライン(36)が直列に介在し、該マイクロストリップライン(36)から受信ライン(30a)の終端の受信側信号端子(33)へ至る接続線路には、前記第３の周波数帯域の通過を阻止する第３トラップ回路(5c)が接続され、該第３トラップ回路(5c)はインダクタとコンデンサを互いに直列に接続して構成され、該第３トラップ回路(5c)の一端が前記マイクロストリップライン(36)から受信ライン(30a)の終端の受信側信号端子(33)へ至る接続線路に接続される一方、他端が接地されており、該第３トラップ回路(5c)とマイクロストリップライン(36)の間の接続線路に第１ダイオードスイッチ(37)の一端が接続される一方、他端が接地されている。
【００２８】
該具体的構成において、第１の周波数帯域の信号の受信時、或いは第２及び第３の周波数帯域の信号の送受信時には、前記第１及び第２ダイオードスイッチ(37)(38)はオフとされる。第２ダイオードスイッチ(38)がオフとされることによって、送信ライン(30b)はオープン状態となり、信号は受信ライン(30a)を通過することになる。
第３トラップ回路(5c)は、インダクタとコンデンサからなる直列共振回路によって構成され、該第３トラップ回路(5c)の一端が受信ライン(30a)に接続されると共に、他端が接地されているので、該第３トラップ回路(5c)は、前記第３の周波数帯域の信号の通過を阻止する機能を発揮する。これにより、第１の周波数帯域の信号の受信時には、第２及び第３の周波数帯域の信号を充分に減衰させることが出来、第２及び第３の周波数帯域の信号の送受信時には、第２及び第３の周波数帯域の信号の第１送受信回路(３)側への回り込みが阻止される。
【００２９】
一方、第１の周波数帯域の信号の送信時には、前記第１及び第２ダイオードスイッチ(37)(38)はオンとされる。第１ダイオードスイッチ(37)がオンとされることによって、受信ライン(30a)に直列に介在するマイクロストリップライン(36)の一端が接地されることになる。これにより、マイクロストリップライン(36)は、第１の周波数帯域の送信信号の通過を阻止する機能を発揮し、この結果、送信ライン(30b)から受信ライン(30a)への送信信号の回り込みが阻止される。従って、第２の周波数帯域の信号の送信時に、送信信号が第３トラップ回路(5c)を通過することは殆どなく、これにより、送信信号に生じる損失を低減することが出来る。
【００３０】
又、前記第３トラップ回路(5c)は、第１ダイオードスイッチ(37)の一端に接続されるため、例えば、従来のデュアルタイプのアンテナ共用器がモジュール化された低温焼成セラミックス積層基板の表面に、チップ部品で構成した前記第３トラップ回路(5c)を追加するだけで、トリプルバンド対応を図ることが可能となる。
【００３１】
更に他の具体的構成において、前記受信ライン(30a)には、前記第１の周波数帯域の送信信号の波長の４分の１の長さに相当するマイクロストリップライン(36)が直列に介在し、該マイクロストリップライン(36)から受信ライン(30a)の終端の受信側信号端子(33)へ至る接続線路に第１ダイオードスイッチ(37)の一端が接続される一方、他端が接地され、前記送信ライン(30b)には、第２ダイオードスイッチ(38)が直列に介在し、該第２ダイオードスイッチ(38)と前記第２端子(23)との間には、前記第３の周波数帯域の信号の波長の４分の１の長さに相当するマイクロストリップライン(51)が介在し、該マイクロストリップライン(51)により、前記第３の周波数帯域の通過を阻止する第３トラップ回路(5d)が構成されている。
【００３２】
該具体的構成において、第１の周波数帯域の信号の受信時、或いは第２及び第３の周波数帯域の信号の送受信時には、前記第１及び第２ダイオードスイッチ(37)(38)はオフとされる。第２ダイオードスイッチ(38)がオフとされることによって、送信ライン(30b)がオープン状態となり、マイクロストリップライン(51)の一端がオープン状態となる。これにより、マイクロストリップライン(51)は、第３の周波数帯域の信号の受信ライン(30a)への通過を阻止する機能を発揮し、この結果、第１の周波数帯域の信号の受信時には、第２及び第３の周波数帯域の信号を充分に減衰させることが出来、第２及び第３の周波数帯域の信号の送受信時には、第２及び第３の周波数帯域の信号の第１送受信回路(３)側への回り込みが阻止される。
【００３３】
一方、第１の周波数帯域の信号の送信時には、前記第１及び第２ダイオードスイッチ(37)(38)はオンとされる。第２ダイオードスイッチ(38)がオンとされることによって、マイクロストリップライン(51)は送信ライン(30b)に対して直列に接続されることとなり、単なる接続線路として機能する。従って、第１の周波数帯域の信号の送信時に生じる送信信号の損失が低減される。
【００３４】
又、前記第３トラップ回路(5d)は、第１ダイオードスイッチ(37)の一端に接続されるため、例えば、従来のデュアルタイプのアンテナ共用器がモジュール化された低温焼成セラミックス積層基板の表面に、マイクロストリップライン(51)を追加するだけで、トリプルバンド対応を図ることが可能となる。
【発明の効果】
【００３５】
本発明のアンテナ共用器によれば、新たなトラップ回路の追加に伴う信号の損失を低減することが出来るばかりでなく、該トラップ回路を積層基板の表層に追加するだけでトリプルバンド対応を図ることが出来るので、アンテナ共用器の設計及び開発時間の短縮を図ることが出来る。
【発明を実施するための最良の形態】
【００３６】
以下、本発明の実施の形態につき、図面に沿って具体的に説明する。
【００３７】
第１実施例
本実施例のアンテナ共用器(１)は、ＬＴＣＣ基板を用いてモジュール化されており、図１に示す如く、ダイプレクサ(２)を介して、低周波帯域のＧＳＭ信号の送受信を行なうための第１送受信回路(３)と、高周波帯域のＤＣＳ及びＷ−ＣＤＭＡの信号の送受信を行なうための第２送受信回路(４)とを並列に接続して構成される。
第１送受信回路(３)は、ＧＳＭの送受信を切り換えるための２つのダイオードスイッチ(37)(38)を有するスイッチング回路(31)と、ＧＳＭの送信回路からの不要な高長波を遮断するためのローパスフィルタ回路(72)とからなり、ＧＳＭの受信回路に受信信号を出力するための受信側信号端子(33)と、ＧＳＭの送信回路からの送信信号が入力されるべき送信側信号端子(34)と、前記２つのダイオードスイッチ(77)(78)のオン／オフを制御するための信号が入力されるべき制御端子(35)とを有している。
【００３８】
又、第２送受信回路(４)は、ＤＣＳ及びＷ−ＣＤＭＡの信号の送受信を切り換えるための２つのダイオードスイッチ(47)(48)を有するスイッチング回路(41)と、ＤＣＳ及びＷ−ＣＤＭＡの信号送信回路からの不要な高長波を遮断するためのローパスフィルタ回路(42)とからなり、ＤＣＳ及びＷ−ＣＤＭＡの信号受信回路に受信信号を出力するための受信側信号端子(43)と、前記送信回路からの送信信号が入力されるべき送信側信号端子(44)と、前記２つのダイオードスイッチ(47)(48)のオン／オフを制御するための信号が入力されるべき制御端子(45)とを有している。
【００３９】
ダイプレクサ(２)は、インダクタＬ２とコンデンサＣ３とからなる第１トラップ回路と、インダクタＬ１とコンデンサＣ２とからなる第２トラップ回路とを有し、第１トラップ回路が、第１送受信回路(３)側に配備される一方、第２トラップ回路は、第２送受信回路(４)側に配備されている。第１トラップ回路は、ＤＣＳの送受信帯域内の周波数ｆ２に減衰極を有する一方、第２トラップ回路は、ＧＳＭの送受信帯域内の周波数ｆ１に減衰極を有している。
第１トラップ回路と第１送受信回路(３)との間には、ダイオードスイッチ(37)(38)のオン／オフを制御する直流電圧を遮断するための結合コンデンサＣ６が直列に介在し、第２トラップ回路と第２送受信回路(４)との間には、ダイオードスイッチ(47)(48)のオン／オフを制御する直流電圧を遮断するための結合コンデンサＣ５が直列に介在している。
【００４０】
図２は、本実施例の第１送受信回路(３)の構成を前記ローパスフィルタ回路(32)を省略して示すものである。第１送受信回路(３)は、送信側信号端子(34)から結合コンデンサＣ６の低周波回路側の端子(23)(以下、分岐端子という)に至る送信ライン(30b)と、分岐端子(23)から受信側信号端子(33)に至る受信ライン(30a)とを有している。
送信ライン(30b)には、第２ダイオードスイッチ(38)が直列に介在すると共に、該第２ダイオードスイッチ(38)と分岐端子(23)の間には、第３トラップ回路(5a)が介在している。該第３トラップ回路(5a)は、第２ダイオードスイッチ(38)と分岐端子(23)の間に直列に介在するインダクタＬ２１と、該インダクタＬ２１と第２ダイオードスイッチ(38)との間の接続線路にその一端が接続されると共に、他端が接地されたコンデンサＣ２１とから構成される。
受信ライン(30a)には、ＧＳＭの送信信号の波長の４分の１の長さに相当するマイクロストリップライン(36)が直列に介在し、該マイクロストリップライン(36)と受信側信号端子(33)との間の接続線路に第１ダイオードスイッチ(37)の一端が接続されると共に、他端が接地されている。
【００４１】
尚、図１に示す第２送受信回路(４)は、ＤＣＳ及びＷ−ＣＤＭＡの送受信信号の波長の４分の１の長さに相当するマイクロストリップライン(46)を用いること、及び送信ラインに第３トラップ回路(5a)が配備されていないこと以外は、前記第１送受信回路(３)と同様の構成を有しているので、説明は省略する。
【００４２】
図３は、ＧＳＭの受信時における第１送受信回路(３)の等価回路を示している。図２に示すアンテナ接続端子(21)から入力された信号は、ダイプレクサ(２)内の第１トラップ回路を介して、分岐端子(23)に至る。ＤＣＳの送受信帯域に周波数を有する信号の通過は第１トラップ回路によって阻止されるので、分岐端子(23)には、ＤＣＳの送受信帯域外に周波数を有する信号が入力される。
【００４３】
図３に示す如く、ＧＳＭの受信時において、第１及び第２ダイオードスイッチ(37)(38)は、オフに設定され、送信ライン(30b)はオープン状態となっている。このとき、第３トラップ回路(5a)は、Ｗ−ＣＤＭＡの送受信帯域内に共振周波数ｆ３を有する直列共振回路を構成し、その一端が接地されているので、Ｗ−ＣＤＭＡの送受信帯域に周波数を有する信号の受信ライン(30a)への通過を阻止する機能を発揮する。従って、ＧＳＭの受信時には、第１トラップ回路と第３トラップ回路により、ＤＣＳ及びＷ−ＣＤＭＡの高周波帯域の信号の受信ライン(30a)への回り込みが阻止される。
【００４４】
又、マイクロストリップライン(36)は、受信ライン(30a)に直列に介在しているので、単なる接続線路として機能し、この結果、ＧＳＭの送受信帯域に周波数を有する信号が受信側信号端子(33)から出力されることになる。
【００４５】
第１送受信回路(３)の第１及び第２ダイオードスイッチ(37)(38)は、ＤＣＳ及びＷ−ＣＤＭＡの送受信時においてもオフに設定される。この場合、ＤＣＳの送受信帯域に周波数を有する信号は、図２に示すダイプレクサ(２)の第１トラップ回路によってブロックされると共に、Ｗ−ＣＤＭＡの送受信帯域に周波数を有する信号は、図２３に示す第３トラップ回路(５a)によってブロックされる。この結果、ＤＣＳ及びＷ−ＣＤＭＡの高周波帯域の信号の第１送受信回路(３)への回り込みが阻止される。
【００４６】
一方、図４は、ＧＳＭの送信時における第１送受信回路(３)の等価回路を示している。ＧＳＭの送信時において、第１及び第２ダイオードスイッチ(37)(38)は、オンに設定される。第２ダイオードスイッチ(38)がオンに設定されることによって、直列共振回路を構成していたインダクタＬ２１が送信ライン(30b)に対して直列に接続される一方、コンデンサＣ２１の一端が送信ライン(30b)に接続されると共に、他端が接地された状態に遷移し、この結果、直列共振回路が消滅する。従って、ＧＳＭの送信時に、第３トラップ回路(５a)がトラップ回路として機能することはなく、ＧＳＭの送信信号に生じる損失を低減することが出来る。
【００４７】
又、第１ダイオードスイッチ(37)がオンに設定されることによって、受信ライン(30a)に直列に介在するマイクロストリップライン(36)の一端が接地されることになる。これにより、マイクロストリップライン(36)は、ＧＳＭの周波数帯域の信号の通過を阻止する機能を発揮し、この結果、送信ライン(30b)から受信ライン(30a)へのＧＳＭの送信信号の回り込みが阻止される。
【００４８】
第２実施例
本実施例は、第３トラップ回路の構成及び接続位置が異なること以外は、上記第１実施例と同様であるので、第３トラップ回路についてのみ説明し、他の回路の構成についての説明は省略する。
【００４９】
図５は、本実施例の第１送受信回路(３)の構成を図１に示すローパスフィルタ回路(32)を省略して示すものである。
受信ライン(30a)には、ＧＳＭの送受信信号の波長の４分の１の長さに相当するマイクロストリップライン(36)が直列に介在し、該マイクロストリップライン(36)と受信側信号端子(33)との間の接続線路に第１ダイオードスイッチ(37)の一端が接続されると共に、他端が接地されている。マイクロストリップライン(36)と受信側信号端子(33)との間には、第３トラップ回路(5b)が直列に介在し、該第３トラップ回路(5b)は、インダクタＬ３１とコンデンサＣ３１からなる並列共振回路によって構成され、Ｗ−ＣＤＭＡの送受信帯域の周波数ｆ３に減衰極を有している。
一方、送信ライン(30b)には、第２ダイオードスイッチ(38)が直列に介在している。
【００５０】
図６は、ＧＳＭの受信時における本実施例の第１送受信回路(３)の等価回路を示している。図５に示すアンテナ接続端子(21)から入力された信号は、ダイプレクサ(２)内の第１トラップ回路を介して、分岐端子(23)に至る。ＤＣＳの送受信帯域に周波数を有する信号の通過は第１トラップ回路によって阻止されるので、分岐端子(23)には、ＤＣＳの送受信帯域外に周波数を有する信号が入力される。
【００５１】
図６に示す如く、ＧＳＭの受信時において、第１及び第２ダイオードスイッチ(37)(38)は、オフに設定され、送信ライン(30b)はオープン状態となっているため、送信ライン(30b)への信号の回り込みが阻止される。
又、マイクロストリップライン(36)は、受信ライン(30a)に直列に介在しているので、単なる接続線路として機能する。信号が第３トラップ回路(5b)に至ると、該第３トラップ回路(5b)により、Ｗ−ＣＤＭＡの送受信帯域に周波数を有する信号の通過が阻止され、この結果、ＧＳＭの送受信帯域に周波数を有する信号が受信側信号端子(33)から出力されることになる。
【００５２】
又、ＤＣＳ及びＷ−ＣＤＭＡの送受信時においても、第１送受信回路(３)の第１及び第２ダイオードスイッチ(37)(38)はオフに設定される。この場合、ＤＣＳの送受信帯域に周波数を有する信号は、図５に示すダイプレクサ(２)の第１トラップ回路によってブロックされると共に、Ｗ−ＣＤＭＡの送受信帯域に周波数を有する信号は、第３トラップ回路(５b)によってブロックされる。これにより、ＤＣＳ及びＷ−ＣＤＭＡの高周波帯域の信号の第１送受信回路(３)側への回り込みが阻止される。
【００５３】
一方、図７は、ＧＳＭの送信時における本実施例の第１送受信回路(３)の等価回路を示している。ＧＳＭの送信時において、第１及び第２ダイオードスイッチ(37)(38)は、オンに設定される。第１ダイオードスイッチ(37)がオンに設定されることによって、受信ライン(30a)に直列に介在するマイクロストリップライン(36)の一端が接地されることになる。これにより、マイクロストリップライン(36)は、ＧＳＭの周波数帯域の信号の通過を阻止する機能を発揮し、この結果、送信ライン(30b)から受信ライン(30a)へのＧＳＭの送信信号の回り込みが阻止される。
従って、ＧＳＭの送信時にＧＳＭの周波数帯域の信号が第３トラップ回路(5b)を通過することは殆どなく、この結果、ＧＳＭの送信信号に生じる損失が低減される。
【００５４】
第３実施例
本実施例は、第３トラップ回路の構成が異なること以外は、上記第２実施例と同様であるので、第３トラップ回路についてのみ説明し、他の回路の構成についての説明は省略する。
【００５５】
図８は、本実施例の第１送受信回路(３)の構成を図１に示すローパスフィルタ回路(32)を省略して示すものである。
受信ライン(30a)には、ＧＳＭの送受信信号の波長の４分の１の長さに相当するマイクロストリップライン(36)が直列に介在し、該マイクロストリップライン(36)と受信側信号端子(33)との間の接続線路に第１ダイオードスイッチ(37)の一端が接続されると共に、他端が接地されている。又、マイクロストリップライン(36)と受信側信号端子(33)との間の接続線路に第３トラップ回路(5b)の一端が接続されると共に、他端が接地されている。該第３トラップ回路(5b)は、インダクタＬ４１とコンデンサＣ４１からなる直列共振回路によって構成され、Ｗ−ＣＤＭＡの送受信帯域内の周波数ｆ３に共振周波数を有している。
一方、送信ライン(30b)には、第２ダイオードスイッチ(38)が介在している。
【００５６】
図９は、ＧＳＭの受信時における本実施例の第１送受信回路(３)の等価回路を示している。図８に示すアンテナ接続端子(21)から入力された信号は、ダイプレクサ(２)内の第１トラップ回路を介して、分岐端子(23)に至る。ＤＣＳの送受信帯域に周波数を有する信号の通過は第１トラップ回路によって阻止されるので、分岐端子(23)には、ＤＣＳの送受信帯域外に周波数を有する信号が入力される。
【００５７】
図９に示す如く、ＧＳＭの受信時において、第１及び第２ダイオードスイッチ(37)(38)は、オフに設定され、送信ライン(30b)はオープン状態となっているため、送信ライン(30b)への信号の回り込みが阻止される。
又、マイクロストリップライン(36)は、受信ライン(30a)に直列に介在しているため、単なる接続線路として機能する。信号がマイクロストリップライン(36)を通過して第３トラップ回路(5c)に至ると、該第３トラップ回路(5c)によって、Ｗ−ＣＤＭＡの送受信帯域に周波数を有する信号の通過が阻止され、この結果、ＧＳＭの送受信帯域に周波数を有する信号が受信側信号端子(33)から出力されることになる。
【００５８】
又、ＤＣＳ及びＷ−ＣＤＭＡの送受信時においても、第１送受信回路(３)の第１及び第２ダイオードスイッチ(37)(38)はオフに設定される。この場合、ＤＣＳの送受信帯域に周波数を有する信号の通過が、図８に示すダイプレクサ(２)の第１トラップ回路によって阻止されると共に、Ｗ−ＣＤＭＡの送受信帯域に周波数を有する信号の通過が、第３トラップ回路(5c)によって阻止される。これにより、ＤＣＳ及びＷ−ＣＤＭＡの高周波帯域の信号の第１送受信回路(３)側への回り込みが阻止されることになる。
【００５９】
一方、図１０は、ＧＳＭの送信時における本実施例の第１送受信回路(３)の等価回路を示している。ＧＳＭの送信時において、第１及び第２ダイオードスイッチ(37)(38)はオンに設定されている。第１ダイオードスイッチ(37)がオンに設定されることによって、受信ライン(30a)に介在するマイクロストリップライン(36)の一端が接地されることになる。これにより、マイクロストリップライン(36)は、ＧＳＭの周波数帯域の信号の通過を阻止する機能を発揮し、この結果、送信ライン(30b)から受信ライン(30a)へのＧＳＭの送信信号の回り込みが阻止される。
従って、ＧＳＭの送信時にＧＳＭの周波数帯域の信号が第３トラップ回路(5c)を通過することは殆どなく、これにより、ＧＳＭの送信信号に生じる損失が低減される。
【００６０】
第４実施例
本実施例は、第３トラップ回路の構成が異なること以外は、上記第１実施例と同様であるので、第３トラップ回路についてのみ説明し、他の回路の構成についての説明は省略する。
【００６１】
図１１は、本実施例の第１送受信回路(３)の構成を図１に示すローパスフィルタ回路(32)を省略して示すものである。
送信ライン(30b)には、第２ダイオードスイッチ(38)が直列に介在すると共に、該第２ダイオードスイッチ(38)と分岐端子(23)の間には、第３トラップ回路(5d)が介在している。該第３トラップ回路(5d)は、Ｗ−ＣＤＭＡの送受信信号の波長の４分の１の長さに相当するマイクロストリップライン(51)から構成される。
受信ライン(30a)には、ＧＳＭの送信信号の波長の４分の１の長さに相当するマイクロストリップライン(36)が介在し、該マイクロストリップライン(36)と受信側信号端子(33)との間の接続線路に第１ダイオードスイッチ(37)の一端が接続されると共に、他端が接地されている。
【００６２】
図１２は、ＧＳＭの受信時における第１送受信回路(３)の等価回路を示している。図１１に示すアンテナ接続端子(21)から入力された信号は、ダイプレクサ(２)内の第１トラップ回路を介して、分岐端子(23)に至る。ＤＣＳの送受信帯域に周波数を有する信号の通過は第１トラップ回路によって阻止されるので、分岐端子(23)には、ＤＣＳの送受信帯域外に周波数を有する信号が入力される。
【００６３】
図１２に示す如く、ＧＳＭの受信時において、第１及び第２ダイオードスイッチ(37)(38)は、オフに設定され、第３トラップ回路(5d)を構成するマイクロストリップライン(51)の終端はオープン状態となっている。これにより、マイクロストリップライン(51)は、Ｗ−ＣＤＭＡの送受信帯域に周波数を有する信号の送信ライン(30b)側への通過を阻止する機能を発揮する。この結果、第３トラップ回路(５d)によって、Ｗ−ＣＤＭＡの送受信帯域に周波数を有する信号の送信ライン(30b)への回り込みが阻止される。
【００６４】
又、マイクロストリップライン(36)は、受信ライン(30a)に直列に介在しているので、単なる接続線路として機能し、この結果、ＧＳＭの送受信帯域に周波数を有する信号が受信側信号端子(33)から出力されることになる。
【００６５】
又、ＤＣＳ及びＷ−ＣＤＭＡの送受信時においても、第１送受信回路(３)の第１及び第２ダイオードスイッチ(37)(38)はオフに設定される。この場合、図１１に示すダイプレクサ(２)の第１トラップ回路によって、ＤＣＳの送受信帯域の信号の通過が阻止されると共に、第３トラップ回路(5d)によって、Ｗ−ＣＤＭＡの送受信帯域の信号の通過が阻止される。これにより、ＤＣＳ及びＷ−ＣＤＭＡの高周波帯域の信号の第１送受信回路(３)側への回り込みが阻止されることになる。
【００６６】
一方、図１３は、ＧＳＭの送信時における第１送受信回路(３)の等価回路を示している。ＧＳＭの送信時において、第１及び第２ダイオードスイッチ(37)(38)は、オンに設定される。第２ダイオードスイッチ(38)がオンに設定されることによって、第３トラップ回路(５d)を構成するマイクロストリップライン(51)が送信ライン(30b)に対して直列に接続されることになる。この結果、第３トラップ回路(５d)のトラップ回路としての機能が消滅し、第３トラップ回路(５d)は、単なる接続線路として機能する。ＧＳＭの送信時に、第３トラップ回路(５d)がトラップ回路として機能することがないので、ＧＳＭの送信信号に生じる損失が低減される。
【００６７】
又、第１ダイオードスイッチ(37)がオンに設定されることによって、受信ライン(30a)に直列に介在するマイクロストリップライン(36)の一端が接地されることになる。これにより、マイクロストリップライン(36)は、ＧＳＭの送受信帯域の信号の通過を阻止する機能を発揮し、この結果、送信ライン(30b)から受信ライン(30a)への信号の回り込みが阻止される。
【００６８】
図１４は、図１に示す本発明の第１実施例のアンテナ共用器(１)の信号通過特性、及び図１７に示す従来のデュアルバンドタイプのアンテナ共用器(６)の信号通過特性のシミュレーション結果を示すグラフである。又、図１５は、図１４の縦軸の０ｄｂ〜−３ｄｂの範囲を拡大して示すグラフである。
本発明の第１実施例のアンテナ共用器(１)においては、図２に示す第３トラップ回路(5a)を第１送受信回路(３)側に追加することによって、図１４に示す如く、Ｗ−ＣＤＭＡの送受信帯域内の周波数ｆ３に新たな減衰極が追加されていることがわかる。これにより、ＧＳＭ信号の受信時、或いはＤＣＳ及びＷ−ＣＤＭＡの送受信時には、Ｗ−ＣＤＭＡの送受信帯域に周波数を有する信号の第１送受信回路(３)側への回り込みが阻止される。
【００６９】
一方、ＧＳＭ信号の送信時には、図２に示す第３トラップ回路(5a)のトラップ回路としての機能が消滅するので、該第３トラップ回路(5a)がＧＳＭの送受信帯域に周波数を有する信号を減衰させることがない。又、第３トラップ回路(5a)を構成するインダクタＬ２１のインダクタンスとコンデンサＣ２１の静電容量との積を一定に保ちつつ、インダクタＬ２１とコンデンサＣ２１の組み合わせを適宜選択することにより、図１５に示す如く、ＧＳＭ信号の送受信帯域に周波数を有する信号に生じる損失を従来に比べて削減することが出来る。
【００７０】
従って、本発明のアンテナ共用器(１)によれば、第３トラップ回路によってＷ−ＣＤＭＡの送受信信号の第１送受信回路側への回り込みを確実に阻止することが出来るばかりでなく、ＧＳＭの送信時には、ＧＳＭの送信信号に生じる損失を従来に比べて削減することが出来るので、良好な送受信性能が得られる。
【００７１】
又、本発明の第１乃至第４実施例のアンテナ共用器(１)において、第３トラップ回路(5a)〜(5d)はそれぞれ、第１ダイオードスイッチ(37)若しくは第２ダイオードスイッチ(38)の一端に接続されている。一般に、ダイオードスイッチは、図１６に示す如く、ＬＴＣＣ基板の表面に実装されるため、例えば、図１７に示す従来のデュアルタイプのアンテナ共用器(６)がモジュール化されたＬＴＣＣ基板の表面に、チップ部品で構成した第３トラップ回路(5a)〜(5c)、或いはマイクロストリップライン(51)を追加するだけで、トリプルバンド対応を図ることが可能となる。これにより、ＬＴＣＣ基板の表層を構成するセラミック層の設計変更のみで、トリプルバンド対応を図ることが出来、この結果、アンテナ共用器(１)の設計及び開発にかかる時間を従来に比べて短縮することが出来る。
【００７２】
更に、ＬＴＣＣ基板の表層を構成するセラミック層の設計変更を加えた後には、第３トラップ回路(5a)〜(5d)を構成するチップ部品の変更のみで、アンテナ共用器(１)の信号通過特性の変更が可能となる。例えば、Ｗ−ＣＤＭＡの代わりにＰＣＳの送受信帯域に合わせて、第３トラップ回路(5a)〜(5c)を構成するチップ部品を適宜選択し、或いは第３トラップ回路(5d)を構成するマイクロストリップライン(51)の長さを調整することも可能である。
【００７３】
尚、本発明の各部構成は上記実施の形態に限らず、特許請求の範囲に記載の技術的範囲内で種々の変形が可能である。例えば、上記第２実施例の第３トラップ回路(5b)、或いは第３実施例の第３トラップ回路(5c)は、アンテナ共用器(１)の外側、即ち図５或いは図８に示す受信側信号端子(33)の外側に形成することも可能である。例えば、図１７に示す従来のデュアルタイプのアンテナ共用器(６)の受信側信号端子(73)の外側に上記第３トラップ回路を追加することにより、トリプルバンド対応を図ることが出来るので、アンテナ共用器(１)の設計／開発にかかる時間の短縮及びコストの削減が可能となる。
【図面の簡単な説明】
【００７４】
【図１】本発明に係る第１実施例のアンテナ共用器の構成を示す回路図である。
【図２】該アンテナ共用器の要部を示す回路図である。
【図３】ＧＳＭ信号の受信時、或いはＤＣＳ及びＷ−ＣＤＭＡ信号の送受信時における第１送受信回路の状態を示す等価回路図である。
【図４】ＧＳＭ信号の送信時における第１送受信回路の状態を示す等価回路図である。
【図５】本発明に係る第２実施例のアンテナ共用器の要部を示す回路図である。
【図６】ＧＳＭ信号の受信時、或いはＤＣＳ及びＷ−ＣＤＭＡ信号の送受信時における第１送受信回路の状態を示す等価回路図である。
【図７】ＧＳＭ信号の送信時における第１送受信回路の状態を示す等価回路図である。
【図８】本発明に係る第３実施例のアンテナ共用器の要部構成を示す回路図である。
【図９】ＧＳＭ信号の受信時、或いはＤＣＳ及びＷ−ＣＤＭＡ信号の送受信時における第１送受信回路の状態を示す等価回路図である。
【図１０】ＧＳＭ信号の送信時における第１送受信回路の状態を示す等価回路図である。
【図１１】本発明に係る第４実施例のアンテナ共用器の要部構成を示す回路図である。
【図１２】ＧＳＭ信号の受信時、或いはＤＣＳ及びＷ−ＣＤＭＡ信号の送受信時における第１送受信回路の状態を示す等価回路図である。
【図１３】ＧＳＭ信号の送信時における第１送受信回路の状態を示す等価回路図である。
【図１４】本発明の第１実施例のアンテナ共用器の信号通過特性、及び従来のデュアルバンドタイプのアンテナ共用器の信号通過特性のシミュレーション結果を示すグラフである。
【図１５】図１４の縦軸の０ｄｂ〜−３ｄｂの範囲を拡大して示すグラフである。
【図１６】ＬＴＣＣ基板を用いてモジュール化された第１実施例のアンテナ共用器を示す斜視図である。
【図１７】従来のデュアルバンドタイプのアンテナ共用器の構成を示す回路図である。
【図１８】該アンテナ共用器の要部構成を示す回路図である。
【図１９】該アンテナ共用器の信号通過特性を示すグラフである。
【図２０】従来のトリプルバンドタイプのアンテナ共用器の要部構成を示す回路図である。
【図２１】該アンテナ共用器の信号通過特性を示すグラフである。
【図２２】ＬＴＣＣ基板を用いてモジュール化された従来のアンテナ共用器を示す斜視図である。
【符号の説明】
【００７５】
(１)  アンテナ共用器
(２)  ダイプレクサ
(21)  アンテナ接続端子
(22)  結合コンデンサ
(23)  第２端子(分岐端子)
(24)  第１端子(分岐端子)
(３)  第１送受信回路
(30a)  受信ライン
(30b)  送信ライン
(31)  スイッチング回路
(32)  ローパスフィルタ回路
(33)  受信側信号端子
(34)  送信側信号端子
(35)  制御端子
(36)  マイクロストリップライン
(37)  第１ダイオードスイッチ
(38)  第２ダイオードスイッチ
(４)  第２送受信回路
(5a)〜(5d)  第３トラップ回路
(51)  マイクロストリップライン
【図１】
2007036622.tif 000003
【図２】
2007036622.tif 000004
【図３】
2007036622.tif 000005
【図４】
2007036622.tif 000006
【図５】
2007036622.tif 000007
【図６】
2007036622.tif 000008
【図７】
2007036622.tif 000009
【図８】
2007036622.tif 000010
【図９】
2007036622.tif 000011
【図１０】
2007036622.tif 000012
【図１１】
2007036622.tif 000013
【図１２】
2007036622.tif 000014
【図１３】
2007036622.tif 000015
【図１４】
2007036622.tif 000016
【図１５】
2007036622.tif 000017
【図１６】
2007036622.tif 000018
【図１７】
2007036622.tif 000019
【図１８】
2007036622.tif 000020
【図１９】
2007036622.tif 000021
【図２０】
2007036622.tif 000022
【図２１】
2007036622.tif 000023
【図２２】
2007036622.tif 000024